(57)【要約】【課題】被記録媒体（被記録材）に形成されるコックリング（波打ち状態）が深くなりすぎることに起因する着弾位置ずれ等を防止した、記録装置を提供する。【解決手段】インク滴を吐出することで記録を行う記録ヘッドと、搬送ローラー１７及び排紙ローラー２９と、プラテン２７と、を有する。プラテン２７には、主走査領域５２と、これの上流側及び下流側とに、それぞれ副走査方向に沿ってリブ形成領域５０が整列して配置されている。主走査領域５２に位置するリブ形成領域５０には、所定の高さより低いリブ（第２リブ５８ｂ）が配置された領域と、所定の高さ以上のリブ（第１リブ５８ａ）が配置された領域とが設けられている。低いリブ（第２リブ５８ｂ）が配置された領域に対して、副走査方向において隣り合う上流側及び下流側の各リブ形成領域５０には、所定の高さ以上のリブ（第３リブ５８ｃ、第４リブ５８ｄ）が配置されている。【選択図】図２
2011121291.tif 000002
【特許請求の範囲】
【請求項１】
被記録媒体にインク滴を吐出することによって記録を行う記録ヘッドと、該記録ヘッドの上流側に設けられて被記録媒体を前記記録ヘッド側に搬送する搬送ローラーと、前記記録ヘッドの下流側に設けられて記録の行われた被記録媒体を排紙する排紙ローラーと、前記記録ヘッドに対向する側に配設されたプラテンと、を有し、
前記プラテンには、前記記録ヘッドが走査する主走査方向に沿う主走査領域と、該主走査領域の上流側及び下流側とに、それぞれ前記主走査方向に直交する副走査方向に沿ってリブ形成領域が整列して配置され、
前記主走査領域に位置するリブ形成領域には、所定の高さより低いリブが配置された領域又はリブが配置されない領域と、所定の高さ以上のリブが配置された領域とが、設けられ、
前記低いリブが配置された領域又はリブが配置されない領域に対して、前記副走査方向において隣り合う上流側及び下流側の各リブ形成領域には、前記所定の高さ以上のリブが配置されていることを特徴とする記録装置。
【請求項２】
前記主走査領域に位置するリブ形成領域には、所定の高さより低いリブが配置された領域、及び所定の高さ以上のリブが配置された領域だけが、設けられていることを特徴とする請求項１記載の記録装置。
【請求項３】
前記主走査領域に位置するリブ形成領域の、所定の高さより低いリブが配置された領域及びリブが配置されない領域は、前記主走査方向において互いに隣り合うことなく配置されていることを特徴とする請求項１又は２に記載の記録装置。
【請求項４】
前記主走査領域に位置するリブ形成領域の、前記所定の高さ以上のリブが配置された領域に対して、前記副走査方向において隣り合う上流側及び下流側の各リブ形成領域には、前記所定の高さ以上のリブが配置されていることを特徴とする請求項１〜３のいずれか一項に記載の記録装置。
【発明の詳細な説明】
【技術分野】
【０００１】
本発明は、記録装置に関する。
【背景技術】
【０００２】
インクジェット式記録装置は、被記録材（被記録媒体）の１つとしての印刷用紙の印刷面と対向する面に、印刷用紙に向かってインクを吐出する複数のノズル列を有するインクジェット記録ヘッド（以下「記録ヘッド」と記す）と、印刷用紙を下から支えることによって記録ヘッドと印刷面との距離を規定するプラテンとを有して構成されている。一般に、インクジェット式記録装置における前記プラテンの、記録ヘッドと対向する面（以下「プラテン面」と記す）には、副走査方向に延びるリブが主走査方向に所定の間隔をもって複数配設されており、印刷に際して、印刷用紙を該リブによって下から支持し、その状態で記録ヘッドからインク滴を吐出している。
【０００３】
その際、印刷用紙がプラテン面から浮き上がると、印刷面と記録ヘッドとの距離が一定に保たれなくなり、場合によってはヘッド擦れを生じることもある。そこで、これを防止するため、記録ヘッドの上流側と下流側とにそれぞれ設けられるローラー対により、印刷用紙をプラテン面に押し付けるようにする技術が、一般に採用されている。
【０００４】
すなわち、記録ヘッドの上流側には印刷用紙を搬送する搬送ローラーが設けられ、記録ヘッドの下流側には印刷用紙を排紙する排紙ローラーが設けられている。搬送ローラーと排紙ローラーとは、ともに回動駆動される駆動ローラーおよび該駆動ローラーに接して従動回動する従動ローラーから構成されている。したがって、駆動ローラーと従動ローラーとのニップ点を記録ヘッド側に偏らせるようにすれば、搬送ローラーと排紙ローラーとの間で印刷用紙は下に凸となるような湾曲状態を形成し、これにより、印刷用紙がプラテン面に押し付けられ、記録ヘッドとの距離が一定に保たれる。
【０００５】
ところで、近年極めて高速な印刷を実行可能とすべく、記録ヘッドに形成されるべきインク滴を吐出するノズル孔の数を増加させる傾向が著しい。このようにノズル孔の数を増加させると、記録ヘッドの寸法（紙送り方向寸法）が長くなり、その結果、搬送ローラーと排紙ローラーとの距離も長くなる。
【０００６】
しかし、搬送ローラーと排紙ローラーとの距離が長くなると、前述した印刷用紙のプラテン面への押し付け効果が失われるといった問題が生じる。すなわち、印刷用紙先端が排紙ローラーにニップされた後においては特段の問題は生じない。しかし、印刷用紙先端が排紙ローラーにニップされる以前においては、印刷用紙は搬送ローラーに近い側ではプラテン面に押し付けられるものの、記録ヘッドによって印刷面にインク滴が吐出されると、印刷用紙はインク滴の付着浸透によって伸び、その結果、排紙ローラーにニップされていない先端側が上方に反り返り、印刷面と記録ヘッドとの距離が不均一になるおそれがある。
【０００７】
そこで、前記の副走査方向に延びて主走査方向に所定の間隔をもって複数配設されるリブのうち少なくとも一部が、第１のリブと、該第１のリブよりも高さの低い第２のリブと、が交互に配置されてなり、被記録材先端が搬送ローラーから排紙ローラーに至る間において、前記第１のリブと前記第２のリブとによってインク滴を吐出された被記録材先端部分に波打ち状態を形成するように構成されたプラテンと、これを備えたインクジェット記録装置が提供されている（例えば、特許文献１参照）。
このようなインクジェット記録装置によれば、搬送ローラーと排紙ローラーとの距離が長くなっても、印刷用紙先端の印刷時において印刷用紙のプラテン面からの浮き上がりが防止され、印刷品質の低下が防止される。
【先行技術文献】
【特許文献】
【０００８】
【特許文献１】特開２００３−２９１４３０号公報
【発明の概要】
【発明が解決しようとする課題】
【０００９】
しかしながら、前記特許文献１のインクジェット記録装置にあっては、高さの高いリブ（第２のリブ）と低いリブ（第１のリブ）とを交互に配置することで、波打ち状態（コックリング）を形成しているが、高いリブと低いリブとの間の高低差が大きくなり過ぎると、波打ち状態が深くなり（振幅が広くなり）、インク滴を吐出した際の、着弾位置ずれが許容範囲を越えてしまうおそれがある。
【００１０】
深さを調整するためには、主走査方向のリブ間隔を小さくすればよいが、例えば縁無し印刷のための打ち捨て溝の制約があり、リブを配置できない領域がある場合などでは、必ずしもリブ間隔を小さくできるとは限らない。
また、紙端付近においては、主走査方向の最端部に位置するリブが高く、これの内側に隣り合う低いリブとの間で高低差が大きいと、深いコックリングの影響により、最端部に位置するリブによって紙端が跳ね上げられ、これによって被記録材が記録ヘッドに擦れてしまうおそれがある。
【００１１】
本発明は前記事情に鑑みてなされたもので、特に被記録媒体（被記録材）に形成されるコックリング（波打ち状態）が深くなりすぎることに起因する着弾位置ずれ等を防止した、記録装置を提供することを目的としている。
【課題を解決するための手段】
【００１２】
前記目的を達成するため、本発明の記録装置は、被記録媒体にインク滴を吐出することによって記録を行う記録ヘッドと、該記録ヘッドの上流側に設けられて被記録媒体を前記記録ヘッド側に搬送する搬送ローラーと、前記記録ヘッドの下流側に設けられて記録の行われた被記録媒体を排紙する排紙ローラーと、前記記録ヘッドに対向する側に配設されたプラテンと、を有し、
前記プラテンには、前記記録ヘッドが走査する主走査方向に沿う主走査領域と、該主走査領域の上流側及び下流側とに、それぞれ前記主走査方向に直交する副走査方向に沿ってリブ形成領域が整列して配置され、
前記主走査領域に位置するリブ形成領域には、所定の高さより低いリブが配置された領域又はリブが配置されない領域と、所定の高さ以上のリブが配置された領域とが、設けられ、
前記低いリブが配置された領域又はリブが配置されない領域に対して、前記副走査方向において隣り合う上流側及び下流側の各リブ形成領域には、前記所定の高さ以上のリブが配置されていることを特徴としている。
【００１３】
この記録装置によれば、プラテン面に設計上のリブ形成領域を配置し、記録ヘッドが走査する主走査方向に沿う主走査領域におけるリブ形成領域として、所定の高さより低いリブが配置された領域又はリブが配置されない領域と、所定の高さ以上のリブが配置された領域とを設けるので、主走査領域には、所定の高さ以上のリブと、所定の高さより低いリブ又はリブの無い箇所が配置されることになる。したがって、これらの間の高低差により、被記録媒体に対して、主走査方向に沿うコックリング（波打ち状態）を形成することが可能になる。
また、特に所定の高さより低いリブ又はリブの無い箇所が配置されるリブ形成領域の、副走査方向において隣り合う上流側及び下流側の各リブ形成領域に、所定の高さ以上のリブを配置しているので、前記被記録媒体の、主走査方向に沿うコックリング（波打ち状態）による沈み込みが小さくなってコックリングの振幅が狭くなり、コックリングが深くなりすぎることに起因する着弾位置ずれが防止される。
さらに、主走査方向に沿うコックリング（波打ち状態）による沈み込みが小さくなってコックリングの振幅が狭くなっているので、主走査方向の最端部においてリブ等の高低差の影響により、被記録媒体の端部が大きく跳ね上げられてしまうことも防止される。
【００１４】
また、前記記録媒体においては、前記主走査領域に位置するリブ形成領域には、所定の高さより低いリブが配置された領域、及び所定の高さ以上のリブが配置された領域だけが、設けられているのが好ましい。
このようにすれば、インク滴の着弾時に被記録媒体が沈み込み過ぎ、プラテン面に接して該プラテン面を汚してしまうおそれがなくなる。
【００１５】
また、前記記録媒体においては、前記主走査領域に位置するリブ形成領域の、所定の高さより低いリブが配置された領域及びリブが配置されない領域が、前記主走査方向において互いに隣り合うことなく配置されているのが好ましい。
所定の高さより低いリブが配置された領域及びリブが配置されない領域が、主走査方向において互いに隣り合って配置されると、この箇所においては、主走査方向に設けられた所定の高さ以上のリブの影響が小さくなり、コックリングによる被記録媒体の沈み込みが大きくなる。そこで、所定の高さより低いリブが配置された領域及びリブが配置されない領域を、主走査方向において互いに隣り合うことなく配置することにより、所定の高さ以上のリブの影響を大きくし、被記録媒体の沈み込みを比較的小さくすることができる。
【００１６】
また、前記記録媒体においては、前記主走査領域に位置するリブ形成領域の、前記所定の高さ以上のリブが配置された領域に対して、前記副走査方向において隣り合う上流側及び下流側の各リブ形成領域に、前記所定の高さ以上のリブが配置されているのが好ましい。
このようにすれば、主走査領域での被記録媒体のコックリングによる沈み込みがより小さくなり、コックリングが深くなりすぎることに起因する着弾位置ずれが確実に防止される。
【図面の簡単な説明】
【００１７】
【図１】本発明の記録装置の一実施形態の概略構成を示す側断面図である。
【図２】図１に示した記録装置における主構成要素（プラテン）の平面図である。
【図３】プラテン面の斜視図である。
【図４】（ａ）（ｂ）は主走査方向に沿う要部断面図である。
【図５】（ａ）（ｂ）はプラテン面の斜視図である。
【発明を実施するための形態】
【００１８】
以下、本発明の実施形態について、図１及び図２を参照して説明する。
図１は、本発明におけるプリンター（記録装置）の一実施形態の概略構成を示す側断面図、図２は、図１に示したプリンターにおける記録部の主構成要素（プラテン）の平面図であり、これらの図において符号１００はプリンターである。
まず、プリンター１００の用紙搬送経路について説明する。
【００１９】
なお、以下では、図１の右側（プリンター１００の後方側）を「上流側」（用紙搬送経路の上流側）と記し、図１の左側（プリンター１００の前方側）を「下流側」（用紙搬送経路の下流側）と記す。
プリンター１００は、最も上流側に給紙装置１を備えている。給紙装置１は、傾斜姿勢で設けられたもので、揺動支点（図示せず）を上部に有した板状体からなるホッパー１１を備えたものである。このホッパー１１上には、複数枚の用紙（被記録媒体）Ｐが傾斜姿勢で積載され、保持されている。
【００２０】
ホッパー１１の下端部に対向する位置には、側面視略Ｄ形の形状をなす給紙ローラー３が、回転可能に設けられている。そして、ホッパー１１は回転駆動する給紙ローラー３に圧接するよう揺動することにより、セットされた用紙Ｐの最上位のものが給紙ローラー３に圧接するようになっている。このような構成に基づき、ホッパー１１が給紙ローラー３に圧接した状態で給紙ローラー３が回動駆動することにより、用紙Ｐが１枚ずつ下流側に給送されるようになっている。
【００２１】
給紙装置１の下流側には、板状体からなる紙案内１５が略水平に設けられている。これにより、給紙ローラー３によって繰り出された用紙Ｐの先端が紙案内１５に斜めに当接し、滑らかに下流側に案内されるようになっている。
紙案内１５の下流側には、回動駆動される搬送駆動ローラー１７ａと、該搬送駆動ローラー１７ａに圧接する搬送従動ローラー１７ｂとからなる搬送ローラー１７が設けられている。この搬送ローラー１７によって用紙Ｐは、該搬送駆動ローラー１７ａと搬送従動ローラー１７ｂとにニップされて、一定ピッチで下流側に搬送されるようになっている。
【００２２】
搬送従動ローラー１７ｂは、搬送従動ローラーホルダ２１の下流側に回転可能に軸支されている。この搬送従動ローラーホルダ２１は、回動軸２１ａを中心にして図１中の時計回り方向及び反時計回り方向に回動可能に設けられ、かつ、図示しないねじりコイルばねによって搬送従動ローラー１７ｂが常に搬送駆動ローラー１７ａに圧接する方向（図１中の反時計回り方向）に回動付勢されている。
ここで、搬送駆動ローラー１７ａは、図２に示すように記録ヘッドの主走査方向（図２中Ｘ方向）に沿う長い軸体からなっており、搬送従動ローラー１７ｂと搬送従動ローラーホルダ２１とは、共に搬送駆動ローラー１７ａの軸方向に複数配設されている。
【００２３】
図１に戻り、最も０桁側（図１の紙面表側：図２の右側）に位置する搬送従動ローラーホルダ２１近傍には、用紙Ｐの通過を検出する紙検出器１９が配設されている。この紙検出器１９は、センサ本体部１９ｂと検出レバー１９ａとからなるものである。検出レバー１９ａは、側面が折曲してなる略「く」形状をなし、その中央付近の回動軸１９ｃを中心に、図１中の時計回り方向及び反時計回り方向に回動可能に設けられたものである。
【００２４】
検出レバー１９ａの上方に位置するセンサ本体部１９ｂは、発光部（図示せず）及び該発光部からの光を受ける受光部（図示せず）を備えたものである。したがって、検出レバー１９ａの回動軸１９ｃから上側が、その回動動作により、前記発光部から前記受光部に向かう光を遮断し、あるいは通過させるようになっている。すなわち、図１に示すように用紙Ｐの通過に伴って検出レバー１９ａが上方に押し上げられるように回動すると、検出レバー１９ａの上側がセンサ本体部１９ｂから外れ、これによって前記受光部が受光状態となり、用紙Ｐの通過を検出するようになっている。
【００２５】
搬送駆動ローラー１７ａの下流側には、後述するプラテン２７及び記録ヘッド（インクジェット記録ヘッド）２５が上下に対向して配設されている。これにより、搬送ローラー１７によって記録ヘッド２５の下に搬送される用紙Ｐは、プラテン２７によって下から支持されるようになっている。
記録ヘッド２５は、インクカートリッジ３１を搭載するキャリッジ２３の底部に設けられたものである。キャリッジ２３は、主走査方向（図１の紙面表裏方向）に延びるキャリッジガイド軸３３にガイドされながら、主走査方向に往復移動するようになっている。これにより、記録ヘッド２５は、キャリッジ２３によって主走査方向に往復移動するようになっている。
【００２６】
記録ヘッド２５の下流側は、プリンター１００の排紙部となっており、この排紙部には、回動駆動される排紙駆動ローラー２９ａと、自由回動可能な排紙従動ローラー２９ｂとからなる排紙ローラー２９が配設されている。
したがって、記録ヘッド２５によって印刷された用紙Ｐは、排紙駆動ローラー２９ａと排紙従動ローラー２９ｂとでニップされた状態で排紙駆動ローラー２９ａが回動することにより、排紙方向（図１の矢印方向）に排出されるようになっている。また、排紙従動ローラー２９ｂのやや上流側には、自由回動可能な補助ローラー３０が配設されている。
【００２７】
ここで、図２に示すように排紙駆動ローラー２９ａは、主走査方向（図２中Ｘ方向）にほぼ等間隔で複数個配設されており、図１に示す排紙従動ローラー２９ｂも、排紙駆動ローラー２９ａに対応して主走査方向にほぼ等間隔で配設されている。
また、補助ローラー３０は、排紙駆動ローラー２９ａと排紙従動ローラー２９ｂとのほぼ中間に配設されている（図示せず）。
【００２８】
ところで、搬送ローラー１７と排紙ローラー２９とは、協働して以下のような作用を奏している。すなわち、図１に示すように搬送ローラー１７においては、搬送駆動ローラー１７ａと搬送従動ローラー１７ｂとのニップ点がやや下流側に設定されている。一方、排紙ローラー２９においては、排紙駆動ローラー２９ａと排紙従動ローラー２９ｂとのニップ点がやや上流側に設定されている。
【００２９】
したがって、搬送ローラー１７と排紙ローラー２９との間においては、用紙Ｐが図示のように下に凸となるような緩やかな湾曲状態となり、これにより、用紙Ｐがプラテン２７に押し付けられるようになっている。その結果、用紙Ｐのプラテン２７からの浮き上がりが防止され、印刷面と記録ヘッド２５との距離が一定に保たれるので、記録ヘッド２５に対する用紙Ｐの擦れが防止され、印刷品質の低下が防止されるようになっている。
【００３０】
以上が、プリンター１００の用紙搬送経路の構成であり、以下、プラテン２７について詳細に説明する。
図２に示したようにプラテン２７は、前記記録ヘッド２５が走査する方向である主走査方向（図２中Ｘ方向）に長く形成され、その上面（記録ヘッド２５に対向する面）であるプラテン面２７ａには、リブ形成領域５０が配置されている。リブ形成領域５０は、プラテン面２７ａのリブ形成可能な領域が、図２中二点鎖線で示すように設計上縦横に、すなわち主走査方向（図２中Ｘ方向）及びこれに直交する副走査方向（図２中Ｙ方向）に、区画され整列されてなる領域であり、単にリブが形成可能な所定の大きさの矩形状の面（領域）により、規定されたものである。
【００３１】
また、プラテン面２７ａは、前記主走査方向に沿う主走査領域５２と、この主走査領域５２の上流側の領域５４及び下流側の領域５６とに、設計上分けられている。なお、本実施形態では、図２に示したようにこれら主走査領域５２、上流側の領域５４、下流側の領域５６が、いずれも主走査方向に沿ってリブ形成領域５０を一列配置して構成されている。しかし、特に上流側の領域５４や下流側の領域５６については、複数列配置されていてもよいのはもちろんである。
【００３２】
また、記録ヘッド２５が走査する主走査方向に沿う主走査領域５２とは、本発明では記録ヘッド２５が走査する範囲に平面視して重なるプラテン面２７ａ上の領域、つまり記録ヘッド２５の可動範囲に重なる領域である。したがって、この主走査領域５２は、用紙Ｐが記録ヘッド２５に接触する可能性がある領域となる。
【００３３】
このようなリブ形成領域５０には、本実施形態ではそれぞれに細長い直方体状のリブが一つずつ整列した状態に形成配置されている。すなわち、その長さ方向を、前記副走査方向に沿わせ、かつ、副走査方向に沿って隣り合うリブ形成領域５０間で、それぞれのリブが直線状に配列するように配置されている。また、本実施形態では、図３の斜視図に示すように、特に前記主走査領域５２には高さの異なる２種類のリブ５８ａ、５８ｂが形成配置されている。
【００３４】
高さの高いリブ５８ａ（以下、第１リブ５８ａと記す）は、予め設定された所定の高さ以上に形成されたものであり、高さの低いリブ５８ｂ（以下、第２リブ５８ｂと記す）は、予め設定された所定の高さより低く（所定の高さ未満に）形成されたものである。予め設定された所定の高さについては、特に限定されることなく、記録ヘッド２５の大きさや搬送ローラー１７と排紙ローラー２９との間隔などによって適宜に決定される。例えば、数百μｍから数ｍｍ程度とされる。また、第１リブ５８ａと第２リブ５８ｂとの高さの差については、例えば０．０５ｍｍ〜０．４ｍｍ程度とされる。なお、これらリブ５８（５８ａ、５８ｂ）の、主走査方向におけるピッチ（間隔）は、例えば１６ｍｍ〜２０ｍｍ程度とされる。
【００３５】
また、主走査方向における第１リブ５８ａと第２リブ５８ｂとの配置については、例えば交互になるように、あるいは第２リブ５８ｂが二つ置きになるように規則的に配置してもよく、全くランダム（不規則）になるように配置してもよい（図２、図３では不規則に配置している）。ただし、高さの低い第２リブ５８ｂについては、後述する理由により、主走査方向において二つ以上が互いに隣り合うことなく配置されているのが好ましく、したがって本実施形態では、第２リブ５８ｂは主走査方向において隣り合うことなく配置されている。
【００３６】
一方、上流側の領域５４のリブ形成領域５０には、予め設定された前記の所定の高さ以上に形成されたリブ（以下、第３リブ５８ｃと記す）が形成配置されており、下流側の領域５６のリブ形成領域５０にも、予め設定された前記の所定の高さ以上に形成されたリブ（以下、第４リブ５８ｄと記す）が形成配置されている。これら第３リブ５８ｃ、第４リブ５８ｄは、前記の所定の高さ以上に形成されていれば、主走査領域５２における前記第１リブ５８ａと同じ高さでもよく、異なる高さでもよい。
【００３７】
また、これら第３リブ５８ｃと第４リブ５８ｄとは、同じ高さでもよく、異なる高さでもよい。さらに、第１リブ５８ａ、第３リブ５８ｃ、第４リブ５８ｄは、前記の所定の高さ以上に形成されていれば、それぞれ異なる高さのものを含んでいてもよい。同様に、第２リブ５８ｂについても、前記の所定の高さより低く（所定の高さ未満に）形成されていれば、異なる高さのものを含んでいてもよい。
【００３８】
これら第１リブ５８ａ〜第４リブ５８ｄは、排紙ローラー２９（図１）および補助ローラー３０と協働して、用紙Ｐにコックリング現象を強制的に発生させる機能を果たしている。すなわち、図１において、記録ヘッド２５から用紙Ｐにインク滴が吐出されると、用紙Ｐがインク滴を吸収し膨潤することにより、主走査方向に波打つ現象（コックリング現象）が生じる。このようなコックリング現象が例えば平坦面（プラテン面２７ａ上に、リブ５８ａ〜５８ｄが形成されていないような場合）上で発生すると、不規則な波打ち現象により、印刷面と記録ヘッド２５との距離のばらつきが大きくなり、印刷品質が低下するとともに、印刷面が記録ヘッド２５に擦れて印刷面を汚損するおそれがある。また、コックリング現象が深くなりすぎると、着弾位置ずれが大きくなったり、用紙Ｐの端部が跳ね上げられて記録ヘッド２５に擦れてしまうおそれもある。
【００３９】
そこで、プラテン面２７ａに前記高さ構成のリブ５８ａ〜５８ｄを形成配置したことにより、用紙Ｐに対して適正なコックリング現象を生じさせ、コックリング現象が深くなりすぎることによる不都合を防止している。
すなわち、このプリンター１００にあっては、プラテン面２７ａに設計上のリブ形成領域５０を配置し、主走査領域５２におけるリブ形成領域５０として、高さが低い第２リブ５８ｂが配置された領域と、高さが高い第１リブ５８ａが配置された領域とを設けているので、主走査領域５２には、第１リブ５８ａと第２リブ５８ｂとが配置されることにより、これらの間の高低差によって主走査方向に沿うコックリング現象を良好に生じさせることができる。
【００４０】
また、所定の高さより低い第２リブ５８ｂが配置されるリブ形成領域５０の、副走査方向において隣り合う上流側の領域５４及び下流側の領域５６の各リブ形成領域５０に、所定の高さ以上の第３リブ５８ｃ、第４リブ５８ｄを配置しているので、用紙Ｐの、主走査方向に沿うコックリング（波打ち状態）による沈み込みを小さくし、コックリングの振幅を狭くして、コックリングが深くなりすぎることに起因する着弾位置ずれを防止することができる。
【００４１】
すなわち、図３に示した第２リブ５８ｂについて見ると、この第２リブ５８ｂは主走査方向において該第２リブ５８ｂより高い第１リブ５８ａに挟まれており、さらに副走査方向においても、該第２リブ５８ｂより高い第３リブ５８ｃ及び第４リブ５８ｄに挟まれている。したがって、用紙Ｐは第２リブ５８ｂに対応する箇所では沈み込むものの、この第２リブ５８ｂの主走査方向両側だけでなく、副走査方向の両側にも第２リブ５８ｂより高いリブ（第１リブ５８ａ、第３リブ５８ｃ、第４リブ５８ｄ）が配置されているので、これらのリブに支持されることにより、第２リブ５８ｂに対応する箇所での沈み込みが低く抑えられる。よって、前述したようにコックリングが深くなりすぎることに起因する着弾位置ずれが防止される。
【００４２】
さらに、このように主走査方向に沿うコックリング現象による沈み込みが小さくなってコックリングの振幅が狭くなっているので、主走査方向に沿う要部断面図である図４（ａ）に示すように、主走査方向の最端部においてリブの高低差の影響により、用紙Ｐの端部が大きく跳ね上げられてしまうことが防止される。
すなわち、従来では主走査方向に沿う要部断面図である図４（ｂ）に示すように、主走査方向の最端部に位置するリブ６０ａが高く、これの内側に隣り合うリブ６０ｂが低い場合に、これらの間で高低差が大きいと、低いリブ６０ｂに対応する位置での用紙Ｐの沈み込みが大きくなり、用紙Ｐはその端部Ｐ１が最端部に位置するリブ６０ａによって大きく跳ね上げられてしまう。したがって、用紙Ｐはその端部Ｐ１が記録ヘッド２５に擦れてしまうおそれがあった。
【００４３】
これに対して本実施形態では、前記したように高さが低い第２リブ５８ｂに対してその副走査方向の両側にも高いリブ（第３リブ５８ｃ、第４リブ５８ｄ）を配置し、図４（ａ）に示したように第２リブ５８ｂに対応する箇所での沈み込みを低く抑えているので、用紙Ｐの端部Ｐ１が大きく跳ね上げられてしまうことが防止され、端部Ｐ１が記録ヘッド２５に擦れてしまうことが防止されている。
【００４４】
また、主走査領域５２に位置するリブ形成領域５０に、第１リブ５８ａと第２リブ５８ｂとを形成配置し、後述するようなリブを配置しない領域（リブ形成領域５０）を設けていないので、図４（ａ）中二点鎖線で示すように、インク滴の着弾時に用紙Ｐが沈み込んでも、第２リブ５８ｂによって用紙Ｐが支持される。したがって、用紙Ｐが沈み込み過ぎ、プラテン面２７ａに直接当接してしまうことにより、プラテン面２７ａを汚してしまうことが確実に防止される。
【００４５】
また、前記したように主走査領域５２において第２リブ５８ｂを、主走査方向にて互いに隣り合うことなく配置しているので、これによってもコックリングによる用紙Ｐの沈み込みが大きくなるのを抑え、コックリングが深くなりすぎることに起因する着弾位置ずれを防止することができる。
すなわち、第２リブ５８ｂが主走査方向において互いに隣り合って配置されると、これら第２リブ５８ｂの箇所においては、主走査方向に設けられた第１リブ５８ａの影響が小さくなり、コックリングによる用紙Ｐの沈み込みが大きくなる。そこで、第２リブ５８ｂを主走査方向において互いに隣り合うことなく配置することにより、第１リブ５８ａの影響を大きくし、用紙Ｐの沈み込みを比較的小さくすることができる。
【００４６】
また、上流側の領域５４、及び下流側の領域５６の各リブ形成領域５０の全てに、前記所定の高さ以上の第３リブ５８ｃ、第４リブ５８ｄを配置しているので、主走査領域５２での用紙Ｐのコックリングによる沈み込みをより小さくし、コックリングが深くなりすぎることに起因する着弾位置ずれを確実に防止することができる。
【００４７】
（実験例）
本発明の実施例として、図５（ａ）に示すように第２リブ５８ｂに対して、これを囲んでその主走査方向、及び上流側、下流側に位置する８つのリブ（第１リブ５８ａ、第３リブ５８ｃ、第４リブ５８ｄ）が、相対的に高くなっている構造のプラテン面を作製した。８つのリブの高さを同一にし、この高さに対する第２リブ５８ｂの高さの差を、０．２ｍｍとした。
【００４８】
また、比較例として、図５（ｂ）に示すように、第２リブ５８ｂに対して、これを囲んでその主走査方向、及び上流側、下流側の斜め方向に位置する６つのリブ（第１リブ５８ａ、第３リブ５８ｃ、第４リブ５８ｄ）が、相対的に高くなっており、第２リブ５８ｂに対して上流側及び下流側に隣り合うリブは第２リブ５８ｂと同じ高さ（したがって図５（ｂ）では符号５８Ｂを付している）になっている構造の、プラテン面を作製した。６つのリブの高さを同一にし、この高さに対する３つのリブ（第２リブ５８ｂ、リブ５８Ｂ）の高さの差を、０．４５ｍｍとした。
なお、図５（ａ）、図５（ｂ）の例では、いずれも主走査方向におけるリブ間のピッチを平均１８ｍｍとした。
【００４９】
このようなプラテン面を有するプリンター１００において、用紙Ｐを搬送ローラー１７と排紙ローラー２９との間で搬送を行ったところ、図５（ａ）に示した実施例では、図４（ａ）中の実線で示したように第２リブ５８ｂ上での用紙Ｐの沈み込みが小さく、第１リブ５８ａの上面に対して沈み込み深さｄが０．１ｍｍ程度であった。
これに対して図５（ｂ）に示した比較例では、図４（ｂ）に示したように沈み込み深さｄが大きくなり、用紙Ｐは第２リブ５８ｂに直接当接した。
したがって、比較例ではコックリングが深くなりすぎることに起因して着弾位置ずれが生じるおそれがあるのに対し、実施例では、これを確実に防止することができることが確認された。
【００５０】
なお、本発明は前記実施形態に限定されることなく、本発明の要旨を逸脱しない範囲で種々の変更が可能である。
例えば、前記実施形態においては、主走査領域５２に位置するリブ形成領域５０に、所定の高さより低いリブが配置された領域と、所定の高さ以上のリブが配置された領域とを設け、したがって、主走査領域５２には第１リブ５８ａと第２リブ５８ｂとを形成配置するようにしたが、本発明はこれに限定されることなく、主走査領域５２に位置するリブ形成領域５０に、リブが配置されない領域と、所定の高さ以上のリブが配置された領域とを設け、したがって、主走査領域５２には第１リブ５８ａのみを形成配置し、部分的にリブを形成しない領域を配してもよい。
【００５１】
これは、図４（ａ）に示したように、通常の搬送時においてはコックリングによっても用紙Ｐは第２リブ５８ｂに直接当接しないため、この第２リブ５８ｂは無くても支障がないからである。ただし、前述したようにインク滴の着弾時には用紙Ｐが沈み込むため、その場合に用紙Ｐがプラテン面２７ａに直接当接しないよう、第１リブ５８ａや第３リブ５８ｃ、第４リブ５８ｄの高さを、高めに形成しておくのが好ましい。
【００５２】
また、前記実施形態では、上流側の領域５４、下流側の領域５６について、そのリブ形成領域５０の全てに、所定の高さ以上に形成されたリブ（第３リブ５８ｃ、第４リブ５８ｄ）を形成配置したが、これら上流側の領域５４や下流側の領域５６については、第２リブ５８ｂ（あるいはリブを形成しない領域）に隣り合うリブ形成領域５０以外では、必ずしも所定の高さ以上のリブを形成することなく、第２リブ５８ｂのような所定の高さより低いリブを形成したり、必要に応じてリブを形成しない領域としてもよい。
【符号の説明】
【００５３】
１…プリンター（記録装置）、１７…搬送ローラー、１７ａ…搬送駆動ローラー、１７ｂ…搬送従動ローラー、２５…インクジェット記録ヘッド（記録ヘッド）、２７…プラテン、２７ａ…プラテン面、２９…排紙ローラー、２９ａ…排紙駆動ローラー、２９ｂ…排紙従動ローラー、５０…リブ形成領域、５２…主走査領域、５４…上流側の領域、５６…下流側の領域、５８…リブ、５８ａ…第１リブ、５８ｂ…第２リブ、５８ｃ…第３リブ、５８ｄ…第４リブ、６０ａ…リブ、６０ｂ…リブ、Ｐ…用紙（被記録媒体）、Ｐ１…端部、ｄ…沈み込み深さ
【図１】
2011121291.tif 000003
【図２】
2011121291.tif 000004
【図３】
2011121291.tif 000005
【図４】
2011121291.tif 000006
【図５】
2011121291.tif 000007